(57)【要約】【課題】本発明は、発熱の大なる電子部品に対する冷却効率の向上を図り、吸気口への異物挿入を防止し信頼性の向上を得る電子機器を提供する。【解決手段】表面に操作部材である電源スイッチ１３を備えた筐体１に吸気口１４および排気口１１を設け、筐体内で吸気口と排気口の近傍部位に放熱量の大なる電子部品である発熱部品４を配置し、この発熱部品に対向して冷却ファン８を配置し外部空気を筐体内に吸込み発熱部品に送風して排気口から排出させ、電源スイッチに対する操作にともなってシート部材１５の一部を可撓変形させ、吸気口を開閉自在とする。【選択図】    図１
2004253438.tif 000002
【特許請求の範囲】
【請求項１】
表面に操作部材を備えた電子機器本体と、
この電子機器本体に設けられる吸気口および排気口と、
上記電子機器本体内に収容され、上記吸気口と排気口の近傍部位に配置される放熱量の大なる電子部品と、
この放熱量の大なる電子部品に対向して配置され、外部空気を電子機器本体内に吸込み、放熱量の大なる電子部品に送風して上記排気口から排出させる冷却ファンと、
上記操作部材に対する操作にともなって一部が可撓変形をなし、上記吸気口を開閉自在とするシート部材と
を具備することを特徴とする電子機器。
【請求項２】
上記シート部材の一端部は操作部材としての電源スイッチに取付けられ、シート部材の他端部は上記吸気口近傍の電子機器本体底面部に固定され、シート部材の中間部が電源スイッチに対する操作にともなって可撓変形し吸気口を開閉自在とすることを特徴とする請求項１記載の電子機器。
【請求項３】
上記シート部材の一端部は操作部材としての電源スイッチに取付けられ、シート部材の他端部は発熱量の大なる電子部品に密着する放熱板に固定され、シート部材の中間部が電源スイッチに対する操作にともなって可撓変形し吸気口を開閉自在とすることを特徴とする請求項１記載の電子機器。
【発明の詳細な説明】
【０００１】
【発明の属する技術分野】
本発明は、たとえばノート型パソコンなど、発熱量の大なる発熱部品を備えた電子機器に係り、特に本体内における冷却構造の改良に関する。
【０００２】
【従来の技術】
電子機器である、たとえばノート型パソコンにおいて、多数の電子部品を実装する回路基板が本体内に収容される。上記電子部品において、電子作用をなしてもほとんど発熱しない電子部品がある一方で、特に、ＭＰＵやハードディスク装置など発熱量の極めて大なる電子部品（以下、発熱部品と呼ぶ）もある。
【０００３】
本体内には、上記発熱部品の発熱にともなう温度上昇による悪影響を防止するために冷却装置を備え、かつ吸気口と排気口を開口している。上記冷却装置は、冷却ファンのみ、もしくは冷却ファンおよび、この冷却ファンに一体に連結固定される放熱板とから構成される。
【０００４】
上記放熱板を備えた場合、放熱板は発熱部品に密着され、本体壁面とは離間していて、放熱板と本体壁面との間に冷却ファンの作用による空気流路が形成される。電源スイッチをオンすると、電子的な作用と冷却ファンの駆動が開始され、吸気口から外部空気が吸込まれて上記空気流路を流通する。
【０００５】
発熱部品の熱は放熱板に伝熱され、この放熱板と空気流路に導かれる空気とが熱交換する。温度上昇した空気は、一旦、冷却ファンのケーシング内に吸込まれ、さらにこの吹出し口体から排気口を介して外部に排出される。
【０００６】
他の従来構成として、可動式底面部を有する本体に対して表示部を開閉自在とし、表示部の開閉角度を伝達する伝達手段により可動式底面部を駆動し、本体の内部空間を拡大して内部を冷却する冷却手段を備えた技術がある。（たとえば、特許文献１参照）
【０００７】
【特許文献１】
特開２０００−２２７８２４号公報（特許請求の範囲の欄  請求項１）
表示部を開くと吸気口が大きく開口して外気を大量に本体内に取り込められ、発熱部品を効率よく冷却できる。表示部を閉じると同時に吸気口が閉成し、非動作時における吸気口からの異物混入を防止できる、とある。
【０００８】
【発明が解決しようとする課題】
先に説明した従来技術であると、近時の本体薄型化の傾向から放熱板と本体との隙間が狭小となり、空気流路に通風抵抗が存在してしまう。そのため、本体内に取込んだ空気の全てが発熱部品に導かれず、一部は空気流路以外の径路に流れて直接冷却ファンに吸込まれてしまう。
【０００９】
したがって、発熱部品に対して充分な冷却効果を確保することができない。そこで、吸気口の開口面積をより大きくして、より多量の空気を取り込むようにすると、今度は大きく開口する吸気口から容易に異物を挿入でき、安全性の確保が困難となる。
【００１０】
また、上記特許文献１の技術であると、表示部を開放することで本体底面部が駆動されるので、操作時においては、本体とここに備えられるキーボード部がある程度傾いた状態になる。
【００１１】
すなわち、好むと好まざるとに関わらずキーボード部が傾いてしまい、人によっては使い勝手が悪くなる。また、表示部と本体底面部とを機械的に連結する伝達機構の構成が複雑であり、本体の薄型化が阻害されるとともに重量の増大を招いている。
【００１２】
本発明は上述の課題を解決するためになされたものであり、その目的とするところは、発熱の大なる電子部品に対する冷却効率の向上を図り、吸気口への異物挿入を防止して信頼性の向上を得る電子機器を提供しようとするものである。
【００１３】
【課題を解決するための手段】
上記目的を満足するため本発明の電子機器は、表面に操作部材を備えた電子機器本体に吸気口および排気口を設け、電子機器本体内で吸気口と排気口の近傍部位に放熱量の大なる電子部品を収容し、この放熱量の大なる電子部品に対向して冷却ファンを配置し外部空気を電子機器本体内に吸込み放熱量の大なる電子部品に送風して排気口から排出させ、操作部材に対する操作にともなってシート部材の一部を可撓変形させ、吸気口を開閉自在とする。
【００１４】
さらに、上記シート部材の一端部を操作部材としての電源スイッチに取付け、シート部材の他端部を吸気口近傍の電子機器本体底面部に固定し、シート部材の中間部が電源スイッチに対する操作にともなって可撓変形し吸気口を開閉自在とする。
【００１５】
さらに、上記シート部材の一端部を操作部材としての電源スイッチに取付け、シート部材の他端部を発熱量の大なる電子部品に密着する放熱板に固定し、シート部材の中間部が電源スイッチに対する操作にともなって可撓変形し吸気口を開閉自在とする。
【００１６】
【発明の実施の形態】
以下、本発明の実施の形態を図面にもとづいて説明する。
図１は、第１の実施の形態であり、電子機器であるところのパソコンの本体（電子機器本体）一部を分解して示す斜視図であり、図２はさらにその一部を拡大して示す斜視図である。
【００１７】
上記パソコンは、上面板１Ａと底面部１Ｂとに分解されるパソコン本体（以下、筐体と呼ぶ）１と、この筐体１の一側部に沿って開閉自在に取付けられる図示しない表示部（液晶）とから構成される。
【００１８】
上記筐体１の上面板１Ａにはキーボード部２が設けられているとともに、スイッチ類および表示灯類が取付けられ、筐体底面部１Ｂにはディスクドライブ装置をはじめとして多数の構成部品が配置される。（いずれも図示しない）
上記筐体底面部１Ｂに、底面部の略半分程度の面積を占める回路基板３が取付けられる。この回路基板３には、ＭＰＵ（中央演算処理装置）４をはじめとして多数の電気部品が取付けられ、かつ表面には電気回路がプリント配線される。図において、ＭＰＵ４以外は省略している。
【００１９】
特に、上記ＭＰＵ４は電子作用にともなう発熱量が大であるところから、ここでは発熱部品と呼ぶ。この発熱部品４は上記回路基板３の一側部で、かつ回路基板の下面側に実装される。
【００２０】
上記発熱部品４に対して冷却ユニット５が直接的に取付けられる。この冷却ユニット５は、冷却ファン６と、この冷却ファンに一体に連結される放熱板７とから構成される。
【００２１】
上記冷却ファン６は、薄型状のケーシング８内に、モータに連結されるロータを収容してなる。上記ケーシング８の上面に複数の円弧状の切り込みからなる吸入口９が設けられ、一側部は矩形状開口である吐出口体１０が設けられる。
【００２２】
上記放熱板７は、一端部がケーシング８の側面に取付け固定され、他端部は筐体底面部１Ｂに沿って延在される。上記放熱板７の上面は上記発熱部品４と適宜な手段で密着され、このことにより放熱板７は本体底面部１Ｂと並行を保持している。
【００２３】
本体底面部１Ｂを構成する側板ａの所定部位に矩形状の排気口１１が設けられ、上記冷却ファン８の吐出口体１０が嵌り込んでいる。この排気口１１近傍位置に取付け用孔１２が設けられ、操作部材であるところの電源スイッチ１３が取付けられる。
【００２４】
上記電源スイッチ１３は水平方向にスライドさせることにより、電源オン−オフの切換をなす。さらに、本体底面部１Ｂを構成する底板ｂの上記取付け用孔１２の近傍部位には、縦長矩形状の吸気口１４が設けられる。この吸気口１４の位置は、上記放熱板７の直下方部位でもある。
【００２５】
一方、上記電源スイッチ１３のスライド部に、シート部材１５の一側隅部が取付けねじ１６によって締結されている。このシート部材１５は、たとえば塩化ビニール樹脂材等の樹脂シートで構成され、肉厚が０．３ｍｍ程度あり、変形が容易な可撓性を備え、かつ電気的絶縁性を有する。
【００２６】
そして、シート部材１５は平面視で矩形状をなし、一側縁ｃから上記取付けねじ１６による取付け部を含めた所定間隔を存する位置と、他側縁ｄから所定間隔を存する位置とのそれぞれに折り目線１７ａ，１７ｂが並行して設けられ、容易に折り曲るようになっている。
【００２７】
上記取付けねじ１６はシート部材１５の一端隅部に設けられる孔部１８を挿通して、電源スイッチ１３のスライド部に取付けられる。この孔部１８が設けられるシート部材１５の一側縁ｃに沿って、例えば金属ワイヤである剛性を有する線材２０が適宜な手段で取付け固定される。
通常ならば、柔軟なシート部材１５の一側隅部のみを取付けねじ１６により取付け固定すると、取付け部以外は垂れ下がるところであるが、上記線材２０の存在によりシート部材１５の少なくとも一側部は本体底面部１Ｂと並行に保持される。
【００２８】
なお、電源スイッチ１３の操作にともないシート部材１５の一側部を傾くことなく円滑にスライド自在とするために、電源スイッチ１３とは反対側の側部を適宜なガイド手段で保持するようにしてもよい。
【００２９】
このようなシート部材１５の他側縁ｄから折り目線１７ｂに至るまでの部位は、本体底面部１Ｂの底板ｂに取付け固定される。すなわち、上記吸気口１４の側方部位に沿って接着剤を構成する両面テープ２１が貼着されていて、上記シート部材１５一部がこの両面テープ２１に貼着される。
【００３０】
したがって、電源スイッチ１３をオンーオフ操作するのにともなってシート部材１５の一側部はスライド付勢されるけれども、シート部材１５の他側部は両面テープ２１を介して本体底面部１Ｂに貼着され固定されて変位しない。
【００３１】
シート部材１５は、電源スイッチ１３の位置によっては伸張状態となり、あるいは弛緩状態となる。なお、シート部材１５は一側縁ｃが電源スイッチ１３と同一高さにあり本体底面部１Ｂの底板ｂから離間して配置されているので、一側縁ｃと他側縁ｄとでは取付け位置に高低差がある。
【００３２】
図３（Ａ）（Ｂ）は、電源スイッチ１３をオン操作した際のシート部材１５の状態を示している。
電源スイッチ１３をオン操作することにより、電源スイッチは吸気口１４から離間する矢印方向にスライド付勢される。シート部材１５の他側部が本体底面部１Ｂに固着されているので、シート部材の中間部は吸気口１４の上方で斜めの状態で伸張する。当然、シート部材１５は吸気口１４を開放する。
【００３３】
、図４（Ａ）（Ｂ）は電源スイッチ１３をオフ操作した際のシート部材１５の状態を示している。
電源スイッチ１３をオフ操作することにより、電源スイッチは吸気口１４とシート部材１５の他端部固定側に接近する矢印方向にスライド付勢される。シート部材１５の他側縁ｄ側が本体底面部１Ｂに固着されているので、シート部材の中間部が弛み、この弛んだ部分は吸気口１４に覆い被さり塞ぐ。
【００３４】
このようにして構成されるパソコンであって、筐体１に対して表示部を開放し、電源スイッチ１３をオン操作することにより電子的に立ち上がる。表示部に必要な情報が表示されるので、キーボード部２を操作して作業を行う。
【００３５】
また、電源スイッチ１３をオン操作するとシート部材１５が伸張状態となって吸気口１４が開放され、吸気口から筐体１内に外部空気を円滑に取り込める。しかも、シート部材１５の中間部は吸気口１４に対して斜めの状態となり、取り込んだ空気を整流する空気流路が形成される。
【００３６】
筐体１内に取り込まれシート部材１５により整流された空気は、放熱板７と筐体底面部１Ｂとの間の空気流路に沿って円滑に導かれ、放熱板７に接触して冷却ファン８の吸込み口９に導かれる。したがって、放熱板７に対する冷却効果が著しく向上する。
【００３７】
必要な全ての操作を終了した状態で電源スイッチ１３をオフ操作する。電源スイッチ１３のスライドにともなってシート部材１５の中間部が弛み変形し、その一部が吸気口１４を閉成する。
【００３８】
これにより、パソコンを持ち運びする際など電源スイッチ１３をオフ操作すれば、吸気口１４が閉成していることを容易に確認でき、異物の挿入が行われず、挿入防止を図れる。
【００３９】
なお、電源スイッチ１３のオン−オフ操作にともなってシート部材１５の一側部がスライド付勢されるが、このとき一側部の両側を並行して移動させるために、剛性のある線材２０を備えている。
【００４０】
すなわち、線材２０は電源スイッチ１３に対する駆動力をシート部材１５の一端部に亘って効率よく伝達し、シート部材１５の変形が均一である。また、シート部材１５は電気的絶縁性を有しているため、吸気口１４近傍において電子部品等の電気的な絶縁を施す必要がなくなる。
【００４１】
図５は、第２の実施の形態のパソコン要部を分解した斜視図であり、図６（Ａ）は電源スイッチ１３のオン状態、図６（Ｂ）は電源スイッチ１３のオフ状態でのシート部材１５Ａと吸気口１４との関係をそれぞれ模式的に示している。
なお、先に説明したのと同一部品には同番号を付して新たな説明は省略し、相違箇所についてのみ以下に述べる。
【００４２】
基本的にシート部材１５Ａは、素材と形態が先に説明したものと同一であり、シート部材は、その一側部が両面テープ２１を介して、上記発熱部品４と熱接続する上記放熱板７の下面に貼着される。
【００４３】
シート部材１５Ａの他側部には折り曲げ片部ｅが一体に設けられていて、この折り曲げ片部ｅの透孔１８に取付けねじ１６が挿通して、電源スイッチ１３にシート部材１５Ａが取付け固定される。また、上記折り曲げ部ｅの存在により、シート部材１５Ａの少なくとも一部は垂下して本体底面部１Ｂに接触する。
【００４４】
シート部材１５Ａの一側縁に沿って、たとえば金属ワイヤである剛性を有する線材２０が適宜な手段で取付け固定される。上記線材２０の存在によりシート部材１５Ａは本体底面部１Ｂに対して密着状態となっている。
【００４５】
上記電源スイッチ１３をオン−オフ操作するのにともなって、上記シート部材１５Ａの一部は本体底面部１Ｂに沿って摺接しながらスライド付勢されるが、シート部材１５Ａの一部は両面テープ２１を介して放熱板７に貼着されるので変動しない。
【００４６】
シート部材１５Ａの中間部は、電源スイッチ１３の位置によっては伸張状態となり、あるいは弛緩状態となることも変りがない。そして、シート部材１５Ａは一側部が放熱板７と同一高さにあり、他側部が本体底面部１Ｂ上にあるので、両側部で高低差がある。
【００４７】
上記電源スイッチ１３をオン操作すると、ここでは電源スイッチ１３は吸気口１４から離間する矢印方向にスライド付勢される。シート部材１５Ａの一側部が放熱板７に固着されているので、シート部材の中間部は吸気口１４の上方で斜めの状態で伸張し、吸気口を開放する。
【００４８】
電源スイッチ１３をオフ操作すると、電源スイッチは吸気口１４および放熱板７に接近する方向にスライド付勢される。シート部材１５Ａの一側部が放熱板に固着されているので、シート部材の中間部が弛む。この弛んだ部分は吸気口１４に覆い被さり、吸気口を塞ぐ。
【００４９】
したがって、電源スイッチ１３のオン操作時にシート部材１５Ａが伸張状態となって吸気口１４が開放され、吸気口から筐体１内に外部空気を円滑に取り込める。
【００５０】
しかも、シート部材１５Ａの中間部は吸気口１４に対して斜めに傾斜して、吸気口から取り込んだ空気を整流する。筐体１内に取り込まれた空気は、整流されて放熱板７と筐体底面部１Ｂとの間の空気流路に円滑に導かれ、放熱板７に対する冷却効果が著しく向上する。
【００５１】
また、電源スイッチ１３をオフに換えるとシート部材１５Ａの中間部が弛み変形し、その一部で吸気口１４を閉成する。これにより、パソコンを持ち運びする際など非動作状態とすれば、吸気口１４が確実に閉成されることの確認がなされ、異物の挿入が行われず、挿入防止を図れる。
なお、本発明は上述の実施の形態に限定されるものではなく、本発明の要旨を越えない範囲内で種々変形実施可能であることは勿論である。
【００５２】
【発明の効果】
以上説明したように本発明によれば、比較的簡素な構成でありながら、吸気口から本体内部に導入した空気の流れを強制的に発熱の大なる部位に誘導して、冷却効率の向上を図るとともに、吸気口に対する異物の挿入の防止構造を得られて信頼性の向上を得るなどの効果を奏する。
【図面の簡単な説明】
【図１】本発明の第１の実施の形態を示す、パソコンの一部を分解し、かつ概略的に示す斜視図。
【図２】同実施の形態を示す、分解状態にあるパソコンの要部を拡大した斜視図。
【図３】同実施の形態の、吸気口の開放時におけるシート部材の状態を説明する斜視図と概略の断面図。
【図４】同実施の形態の、吸気口の閉成時におけるシート部材の状態を説明する斜視図と概略の断面図。
【図５】本発明の第２の実施の形態の、分解状態にあるパソコンの要部を拡大した斜視図。
【図６】同実施の形態の、吸気口の開放時と閉成時におけるシート部材の状態を説明する概略の断面図。
【符号の説明】
１３…電源スイッチ（操作部材）、１…筐体（電子機器本体）、１４…吸気口、１１…排気口、４…発熱部品（放熱量の大なる電子部品）、８…冷却ファン、１５，１５Ａ…シート部材、１Ｂ…筐体底面部。
【図１】
2004253438.tif 000003
【図２】
2004253438.tif 000004
【図３】
2004253438.tif 000005
【図４】
2004253438.tif 000006
【図５】
2004253438.tif 000007
【図６】
2004253438.tif 000008